(57)【特許請求の範囲】
【請求項１】
断熱材で形成された蓋と、
前記蓋に取着されたペルチェ素子、該ペルチェ素子の冷却面側に配置した内部熱交換器、前記ペルチェ素子の放熱面側に配置した外部熱交換器から構成した冷却ユニットと、
前記内部熱交換器側を向けて前記蓋で、被冷却品の出し入れを行う上面に形成された開口を覆った冷蔵ボックスと、を備え、
前記冷蔵ボックスは、前記蓋を取着しない状態では、平面状に展開可能とした、冷蔵庫。
【請求項２】
前記外部熱交換器は、放熱用ファンによる送風で補助的に放熱した、請求項１記載の冷蔵庫。
【請求項３】
前記放熱用ファンは、前記外部熱交換器の下方側から送風した、請求項２記載の冷蔵庫。
【請求項４】
前記冷蔵ボックスは、前記冷却ユニット未装着の前記蓋の着脱を選択可能とした、請求項１乃至３のいずれか一項記載の冷蔵庫。
【請求項５】
前記冷蔵ボックスは、前記冷蔵ボックスの底と、前記冷蔵ボックスの側壁と、が一体成型された可撓性を有する扁平な基材により、平面状に展開可能とした、請求項１記載の冷蔵庫。
【請求項６】
前記底は、前記冷蔵ボックスの内壁面側に底板を有し、
前記側壁は、前記冷蔵ボックスの内壁面側に側板を有し、
前記底板および前記側板の内部に中空部を設けた請求項５記載の冷蔵庫。
【請求項７】
前記中空部に断熱材を充填した、請求項６記載の冷蔵庫。
【請求項８】
前記冷蔵ボックス内に、断熱材で形成された補助ボックスを着脱自在に装着可能とした、請求項１乃至７のいずれか一項記載の冷蔵庫。
【請求項９】
前記蓋が、前記側板の端部と係合する係合溝を有する請求項６記載の冷蔵庫。
【発明の詳細な説明】
【技術分野】
【０００１】
この発明の実施形態は、冷蔵庫に関する。
【背景技術】
【０００２】
従来、車載用冷蔵庫では、スペースと消費電力を抑えた冷却手段としてペルチェ素子が用いられている。
【０００３】
近年はアウトドアの流行により車載用冷蔵庫にあっても、ある程度の内容積が求められている。内容積を大きくした場合は、冷蔵庫の外形寸法が大きくなってしまう。このため冷蔵庫を使用しない場合は、トランク等の収納スペースを圧迫することから、車外で保管することが考えられる。しかし、内容積が大きい車載用冷蔵庫の外形寸法が大きいことから持ち運びも不便である、という課題があった。
【先行技術文献】
【特許文献】
【０００４】
【特許文献１】特開２００２−６２０１５号公報
【発明の概要】
【発明が解決しようとする課題】
【０００５】
この発明が解決しようとする課題は、未使用時に収納スペースを大きく取らず、持ちやすく運びやすくした冷蔵庫を提供することである。
【課題を解決するための手段】
【０００６】
実施形態の冷蔵庫は、断熱材で形成された蓋と、前記蓋に取着されたペルチェ素子、該ペルチェ素子の冷却面側に配置した内部熱交換器、前記ペルチェ素子の放熱面側に配置した外部熱交換器から構成した冷却ユニットと、前記内部熱交換器側を向けて前記蓋で、被冷却品の出し入れを行う上面に形成された開口を覆った冷蔵ボックスと、を備え、前記冷蔵ボックスは、前記蓋を取着しない状態では、平面状に展開可能とした。
【図面の簡単な説明】
【０００７】
【図１】実施形態１を示す車載用の冷蔵庫の斜視図である。
【図２】図１のＡａ−Ａｂ線の一部を切欠して示す断面図である。
【図３】空気吸入部について説明するための断面図である。
【図４】空気吸入部について説明するための断面図である。
【図５】図１のＢａ−Ｂｂ線の一部を切欠して示す断面図である。
【図６】実施形態２の冷蔵庫について説明するための図である。
【図７】実施形態３の冷蔵庫全体の斜視図である。
【図８】図７から冷却ユニットを外した状態の斜視図である。
【図９】図８に示す冷蔵ボックスを縮めた状態の斜視図である。
【図１０】実施形態４の冷蔵庫全体の斜視図である。
【図１１】図１０の冷蔵ボックスの正面図である。
【図１２】図１１に示す冷蔵ボックスを縮めた状態の斜視図である。
【図１３】実施形態５の冷蔵庫全体の斜視図である。
【図１４】図１３の冷蔵ボックスを展開した状態の斜視図である。
【図１５】図１４の冷蔵ボックスを組み立てた状態の斜視図である。
【図１６】図３の蓋を裏側から見た状態の斜視図である。
【図１７】図１３のＣａ−Ｃｂ線の一部を切欠して示す断面図である。
【図１８】図１３のＤａ−Ｄｂ線の一部を切欠して示す断面図である。
【図１９】実施形態６の冷蔵庫について説明するための斜視図である。
【発明を実施するための形態】
【０００８】
以下、この発明を実施するための形態について、図面を参照しながら詳細に説明する。なお、図中、同一または同等の部分には同一の符号を付す。
【０００９】
（実施形態１）
図１は、実施形態１を示す車載用の冷蔵庫の斜視図である。図２は、図１のＩａ−Ｉｂ線の一部を切欠して示す断面図である。冷蔵庫１００は、冷蔵ボックス１１と冷却ユニット１２から構成されている。
【００１０】
冷蔵ボックス１１は、冷蔵室１１ａが形成された直方五面体の枠体である。冷蔵ボックス１１は、冷却対象物である食品等の収納可能である。食品等の収納は、開口１１ｂを介して行われる。冷蔵ボックス１１は、空気室１１ｃを所望の形状に膨らませて構成されている。
【００１１】
冷蔵ボックス１１の空気室１１ｃは、図２に示すように、内装１１ｃ１と外装１１ｃ２とにより形成されている。空気室１１ｃは、冷蔵室１１ａを使用する状態では外部との通気を遮断する構造となっている。内装１１ｃ１と外装１１ｃ２は、防水シートで形成されている。防水シートは、例えば塩化ビニル等の柔軟構成樹脂シートや柔軟な合成ゴムシート等が考えられる。冷蔵ボックス１１は、空気吸入部１３を介して空気室１１ｃ内に空気の出し入れすることが可能である。
【００１２】
冷蔵ボックス１１は、凹状の冷蔵室１１ａを備えた空気吸入部１３付きのエアー袋で構成されている。したがって、冷蔵ボックス１１は、空気吸入部１３から空気室１１ｃ内の空気を抜くことにより、浮き袋のように折り畳みが可能となる。
【００１３】
なお、冷蔵ボックス１１の使用時に、冷蔵ボックス１１内にウレタンボード等の強度を持つ断熱材で形成された図示しない補助ボックスを収納した状態で使用してもよい。補助ボックスは、内装１１ｃ１側に配置し、アルミ板等の熱伝導性の高い素材による折り畳みの構造が実現できる。この場合、冷蔵ボックス１１の断熱性の向上とともに、使用時における冷蔵ボックス１１としての強度を高めることができる。
【００１４】
図３は、空気吸入部１３の構成例を示す。図３では、図２の空気吸入部１３の上下を逆にして示す。
【００１５】
空気吸入部１３は、空気室１１ｃに吸入された空気を封止する役割と封止された空気を排気する役割を果たす。空気吸入部１３は、空気室１１ｃ内に空気を吸入させる半球状のポンプ装置１３１、吸入した空気を封止するための弁装置１３２を備えている。ポンプ装置１３１は、外装１１ｃ２から空気室１１ｃに突出して配置されている。
【００１６】
ポンプ装置１３１は、塩化ビニル等の柔軟な合成樹脂からなるもので、外部から力が加えられると変形するが、その力が解除されると、元の半球形に戻るように復元可能に形成されている。
【００１７】
また、ポンプ装置１３１の頂部には空気取り入れ口１３３が形成されている。空気取り入れ口１３３は、これを指等で押さえたときに、ポンプ装置１３１の内部に気密室１３４が形成される。
【００１８】
弁装置１３２は、外装１１ｃ２の空気室１１ｃ側に固着された有底の筒状部材１３５内に構成されている。筒状部材１３５の側壁には、複数個の通孔１３６が形成されている。
【００１９】
弁装置１３２は、リング状の弁座形成部材１３２ａと、スポンジ１３２ｂと、弁体１３２ｃとから構成されている。弁座形成部材１３２ａは、外装１１ｃ２に形成された開口部１３７内に嵌め込まれている。スポンジ１３２ｂは、筒状部材１３５の底板１３８に貼着されている。弁体１３２ｃは、スポンジ１３２ｂにより押圧され、弁座形成部材１３２ａに着離座可能に取着されている。
【００２０】
さらに、スポンジ１３２ｂと弁体１３２ｃとの間には、鉄板１３２ｄが介装されている。弁体１３２ｃは、鉄板１３２ｄの剛性により、弁座形成部材１３２ａの開口端の弁座１３２ｅに隙間なく当接する。
【００２１】
このように、弁体１３２ｃは通常、弁座形成部材１３２ａの弁座１３２ｅに着座しており、気密室１３４側からスポンジ１３２ｂを変形させうる力が加わったときに、弁座１３２ｅから離反する。弁体１３２ｃは、合成樹脂からなる弁座形成部材１３２ａの硬度に比べて軟質な合成樹脂から形成されている。すなわち、弁座形成部材１３２ａと弁体１３２ｃとの間には充分な硬度差があり、弁としての機能を向上させている。
【００２２】
冷蔵ボックス１１は、冷蔵庫として使用しない場合、空気が抜かれ、使用時に空気を入れて管理される。半球状のポンプ装置１３１と弁装置１３２とを備えた空気吸入部１３は、冷蔵ボックス１１の角部に設置されても良く、また他の場所に設置されても良い。
【００２３】
次に、空気を入れる場合について説明する。ポンプ装置１３１の頂部に形成された空気取り入れ口１３３を親指等で閉塞する。この状態から使用者が親指等でポンプ装置１３１を押し込めば、気密室１３４内の空気が圧縮され、弁体１３２ｃが筒状部材１３５の内方に押圧される。
【００２４】
気密室１３４内に捕捉されていた空気は、白抜きの矢印で示すように開口部１３７から弁装置１３２および筒状部材１３５に形成された通孔１３６を介して空気室１１ｃ内に吸入される。
【００２５】
その後、図４に示すように、使用者がポンプ装置１３１の空気取り入れ口１３３から指を離せば、ポンプ装置１３１は、それ自身の復元力により再度、半球状に膨らむとともに、空気取り入れ口１３３から気密室１３４内に空気が導入される。
【００２６】
以後、上記動作を繰り返すことにより、空気室１１ｃ内に順次空気が吸入され、冷蔵ボックス１１を使用状態に膨らますことができる。このように、膨らまされた空気室１１ｃから脱気する場合は、細棒などを空気取り入れ口１３３内に挿入し、その先端で弁体１３２ｃを内方に押し込めば、圧縮状態にあった空気を速やかに排出することができる。
【００２７】
なお、冷蔵ボックス１１を形成するための空気室１１ｃへの空気入れは、口から息を吹き込んで空気を入れてもよいし、空気入れ器具を用いて空気を入れてもよい。
【００２８】
冷蔵ボックス１１の開口１１ｂの解放端部１１ｄには、図１に示すように、蓋１４が着脱自在に取着されている。
【００２９】
開口１１ｂと対向する冷却ユニット１２は、図１に示すように、蓋１４に取着されている。蓋１４は、冷蔵ボックス１１の開口１１ｂの解放端部１１ｄに着脱自在に取着される。蓋１４には、発泡スチロール等の断熱材１５が取着されている。断熱材１５は、開口１１ｂに嵌め込まれる形状と大きさであり、蓋１４と断熱材１５には、段差部１６が形成されている。断熱材１５が開口１１ｂに嵌め込まれる形状での蓋１４は、段差部１６が解放端部１１ｄに係合し、開口１１ｂの全体を覆うような大きさとなっている。なお、蓋１４と断熱材１５は、蓋１４を断熱性材料で冷却ユニット１２を支持できる材料を用いることで、一体的に構成してもよい。
【００３０】
冷却ユニット１２は、図５に示すように、ペルチェ素子１２ａ、外部熱交換器１２ｂ、内部熱交換器１２ｃ、熱伝導部材１２ｄから構成されている。
【００３１】
ペルチェ素子１２ａは、外部熱交換器１２ｂと熱伝導部材１２ｄに熱結合して冷却または加熱を行う。外部熱交換器１２ｂは、蓋１４の外部に装着し、冷蔵ボックス１１の外周部と熱交換を行う。ペルチェ素子１２ａが装着された反対面の熱伝導部材１２ｄには、内部熱交換器１２ｃが取着されている。内部熱交換器１２ｃは、冷蔵ボックス１１の内部と熱交換を行う。熱伝導部材１２ｄは、ペルチェ素子１２ａの冷却面の冷熱を、内部熱交換器１２ｃに伝えるためのものである。
【００３２】
冷却ユニット１２は、ペルチェ素子１２ａ、外部熱交換器１２ｂ、内部熱交換器１２ｃの他に、図示しない制御ユニットを備えている。制御ユニットは、ペルチェ素子１２ａへの通電を制御して冷熱制御を行う。ペルチェ素子１２ａは、通電されると、外部熱交換器１２ｂ側の面が発熱し、内部熱交換器１２ｃ側の面が冷却する。
【００３３】
ペルチェ素子１２ａと熱伝導部材１２ｄは、蓋１４と断熱材１５に穿設された連結孔１７内に嵌合された状態で取着されている。ペルチェ素子１２ａと熱伝導部材１２ｄは、外部熱交換器１２ｂと内部熱交換器１２ｃに挟持するようにして組立てられ、冷温蔵庫として機能するようになっている。
【００３４】
蓋１４の上面には、図５に示すように、外部熱交換器１２ｂを補助的に冷却するための冷却ファン１８が取着されている。冷却ファン１８の風向きは、外部熱交換器１２ｂ側とする。外部熱交換器１２ｂは、ペルチェ素子１２ａの放熱面で発生した熱を冷却するものであるが、必要に応じて外部熱交換器１２ｂを補助的に冷却して冷却性能の向上を図っている。
【００３５】
このように、使用時は冷蔵ボックスに空気を入れ、非使用時は冷蔵ボックスの空気を抜くことで、非使用時の冷蔵ボックスをコンパクトにすることができ、収納スペースを小さくできるばかりか、可搬性の向上を図ることが可能となる。
【００３６】
（実施形態２）
図６は、実施形態２の冷蔵庫について説明するための図である。この実施形態は、冷蔵ボックスを冷蔵庫と、クーラーボックスとして使い分けができるようにした。
【００３７】
冷蔵ボックス１１と冷却ユニット１２は、実施形態１の冷蔵庫１００と同じように構成されている。したがって、冷蔵ボックス１１を冷蔵庫として使用する場合は、冷却ユニット１２で冷蔵ボックス１１を覆い、冷却ユニットを通電することで、冷蔵庫１００として利用が可能となる。
【００３８】
冷蔵ボックス１１を冷蔵庫１００として使用しない場合は、クーラーボックス２００として使用する。クーラーボックス２００の場合は、冷却ユニット１２を取着した蓋１４に換えて冷蔵ボックス１１の解放端部１１ｄを閉塞する蓋部材６１を備えている。蓋部材６１は、開口１１ｂを開閉可能であるように、蓋部材６１よりやや面積の小さい係合部６２が開口１１ｂに着脱自在に係合する。係合部６２は、例えば中空断熱構造となっており、中空部には断熱材を充填してもよい。蓋部材６１は、たとえば断熱材を一体成形した二重構造の複合材であれば、保温性能を向上させることができる。
【００３９】
このように、冷却ユニット１２付きの蓋１４と蓋部材６１を交換することにより、冷蔵ボックス１１を冷蔵庫とクーラーボックスとして使い分けることが可能となる。冷蔵ボックス１１は伸縮自在であることから、非使用時のコンパクト化に加え、収納スペースを小さくでき、可搬性の向上を図ることができる。
【００４０】
（実施形態３）
図７〜図９は、実施形態３について説明するための図である。図７は全体の斜視図を示す。図８は、図７から冷却ユニットを外した状態の斜視図を示す。図９は冷蔵ボックスを縮めた状態の斜視図を示す。
【００４１】
この実施形態での折り畳み可能な冷蔵ボックス１１は、内装８１と外装８２を蛇腹式の構造とした。内装８１と外装８２の間には、図示しない空気室が設けられ、中空断熱構造となっている。内装８１と外装８２の蛇腹構造は、伸ばした状態と縮めた状態の各状態を保持する構造並びに材料で形成されている。
【００４２】
内装８１と外装８２の一端部８３は、底板８４が取着されている。底板８４は、断熱構造となっている。内装８１と外装８２の他端部８５には、冷却ユニット１２が搭載された蓋１４が着脱自在に取着されている。
【００４３】
図８は、蛇腹式の内装８１と外装８２を伸ばし、冷蔵ボックス１１として使用可能な状態を示す。冷却ユニット１２が他端部８５に取着されることで、図７に示す状態の冷蔵庫としての機能を果たす。
【００４４】
図９は、冷却ユニット１２を外し、蛇腹式の内装８１と外装８２を縮めた冷蔵ボックス１１の非使用状態を示す。
【００４５】
このように、冷蔵ボックスが使用時はジャバラを伸ばし、非使用時はジャバラを縮めることで、非使用時のコンパクト化に加え、収納スペースを小さくでき、可搬性の向上を図ることができる。
【００４６】
（実施形態４）
図１０〜図１２は、実施形態４について説明するための図である。図１０は全体の斜視図を示す。図１１は、図１０から冷却ユニットを外した状態の斜視図を示す。図１２は冷蔵ボックスを縮めた状態の斜視図を示す。
【００４７】
この実施形態は、円筒形状の冷蔵庫に適用した場合を示す。底部１０１ａが一体の円筒形状の内装１０１と底部１０２ａが一体の円筒形状の外装１０２が蛇腹構造となっている。内装１０１と外装１０２との間には空気室１０３が設けられている。空気室１０３は、中空断熱としての役目を果たす。
【００４８】
なお、底部１０１ａと底部１０２ａとの間の空気室１０３には、ウレタン等の断熱材を介装してもよい。この場合、冷蔵庫を設置した場所で冷気が奪われ、冷蔵機能の低下を抑えることができる。
【００４９】
このように、冷蔵ボックスが円筒形状であっても、使用時はジャバラを伸ばし、非使用時はジャバラを縮めることで、非使用時のコンパクト化に加え、収納スペースを小さくでき、可搬性の向上を図ることができる。
【００５０】
（実施形態５）
図１３は、実施形態５について説明するための全体の斜視図を示す。この実施形態は、冷却ユニット１２を冷蔵ボックス１１から取り外した場合に、冷蔵ボックス１１を平面的に展開するようにしたものである。
【００５１】
図１４は、冷蔵ボックス１１を展開した状態を示す。冷蔵ボックス１１は、基材５１と、底板５２と、側板５３ａ〜５３ｄとから構成されている。基材５１、底板５２、側板５３ａ〜５３ｄは、矩形状に形成されている。
【００５２】
基材５１は、十字状の扁平な防水性の可撓性材料で一体成形されている。底板５２は、基材５１の中心部分に貼り付けられている。側板５３ａ〜５３ｄは、十字状基材５１の上下、左右にそれぞれ貼り付けられている。
【００５３】
底板５２の各側面には４５度の傾斜面５２ａ〜５２ｄが形成されている。傾斜面５２ａと対向する側板５３ａの側面は、４５度の傾斜面５３ａ１が形成されている。傾斜面５２ａと傾斜面５３ａ１はＶ字を構成する。傾斜面５２ａと傾斜面５３ａ１は、係合された場合に側板５３ａが底板５２に対し、直立する形状となる。
【００５４】
傾斜面５２ｂと対向する側板５３ｂの側面は、４５度の傾斜面５３ｂ１が形成されている。傾斜面５２ｂと傾斜面５３ｂ１はＶ字を構成する。傾斜面５２ｂと傾斜面５３ｂ１は、係合された場合に側板５３ｂが底板５２に対し、直立する形状となる。
【００５５】
傾斜面５２ｃと対向する側板５３ｃの側面は、４５度の傾斜面５３ｃ１が形成されている。傾斜面５２ｃと傾斜面５３ｃ１はＶ字を構成する。傾斜面５２ｃと傾斜面５３ｃ１は、係合された場合に側板５３ｃが底板５２に対し、直立する形状となる。
【００５６】
傾斜面５２ｄと対向する側板５３ｄの側面は、４５度の傾斜面５３ｄ１が形成されている。傾斜面５２ｄと傾斜面５３ｄ１はＶ字を構成する。傾斜面５２ｄと傾斜面５３ｄ１は、係合された場合に側板５３ｄが底板５２に対し、直立する形状となる。
【００５７】
さらに、傾斜面５３ａ１と直交方向の側板５３ａの両側面には、４５度の傾斜面５３ａ２，５３ａ３が形成されている。傾斜面５３ｂ１と直交方向の側板５３ｂの両側面には、４５度の傾斜面５３ｂ２，５３ｂ３が形成されている。傾斜面５３ｃ１と直交方向の側板５３ｃの両側面には、４５度の傾斜面５３ｃ２，５３ｃ３が形成されている。傾斜面５３ｄ１と直交方向の側板５３ｄの両側面には、４５度の傾斜面５３ｄ２，５３ｄ３が形成されている。
【００５８】
傾斜面５３ａ２と傾斜面５３ｃ３は、側板５３ａと側板５３ｃが底板５２に対し直立した場合に係合する。傾斜面５３ａ３と傾斜面５３ｄ２は、側板５３ｄが底板５２に対し直立した場合に係合する。同様に、傾斜面５３ｂ２と傾斜面５３ｄ３および傾斜面５３ｂ３と傾斜面５３ｃ２は、側板５３ｂが底板５２に対し直立した場合にそれぞれ係合する。
【００５９】
側板５３ａ〜５３ｄが底板５２に対し直立した場合は、図１５に示すように、冷蔵ボックス１１として形成される。
【００６０】
図１５の状態での各傾斜面は、係合しているだけあり、弱い外力でも直ちに図１４に示す状態に展開する。
【００６１】
そこで、蓋１４には、図１６に示すように、冷蔵ボックス１１側の面に係合溝１４１が形成されている。係合溝１４１を、図１５に示す冷蔵ボックス１１の側板５３ａ〜５３ｄの解放端５３ａ４〜５３ｄ４と図１６に示す蓋１４の係合溝１４１とを係合する。
【００６２】
これにより、冷蔵ボックス１１は、係合溝１４１との係合により、冷蔵ボックス１１としての機能を果たす。蓋１４を被せた状態では、側板５３ａ〜５３ｄは展開することなく、図１５に示す冷蔵ボックス１１の状態を維持する。
【００６３】
このように、展開状態の側板５３ａ〜５３ｄを起立させるだけで冷蔵ボックス１１を形成することができる。冷蔵庫として機能させるには、冷蔵ボックス１１に冷却ユニット１２が取着された蓋１４を被せるだけでよい。冷蔵庫として非使用時には、蓋１４を外すことにより、冷蔵ボックス１１を板状にできる。
【００６４】
図１７は、図１３のＣａ−Ｃｂ線の一部切欠の断面を示す。図１８は、図１３のＤａ−Ｄｂ線の一部切欠の断面を示す。
【００６５】
側板５３ａ〜５３ｄは、例えば樹脂製で形成されている。側板５３ａ〜５３ｄには、図１７、図１８に示すように、内部に中空部１７１をそれぞれ形成し、中空部１７１内に、例えばウレタン等の断熱材１７２を充填してもよい。この場合、冷蔵ボックス１１としての冷却効果を期待することができる。なお、底板５２にも中空部が形成され、断熱材が充填される。
【００６６】
この実施形態では、冷蔵ボックスを簡単に板状にできることから、非使用時のコンパクト化に加え、収納スペースを小さくでき、可搬性の向上を図ることができる。
【００６７】
（実施形態６）
図１９は、実施形態６について説明するための斜視図である。この実施形態は、冷却ファン１８を外部熱交換器１２ｂの下方側に配置し、外部熱交換器１２ｂに対し、下方から強制的に冷却するようにした。
【００６８】
暖められた空気は上昇する性質である。冷却ファン１８の送風は、上向きとなり、外部熱交換器１２ｂの熱を上に向かって逃がすことができる。
【００６９】
このように、熱が逃げる方向にファンの風向を合わせることで放熱性能の向上を図ることができる。
【００７０】
上記の実施形態２では、実施形態１の冷蔵ボックスを、冷蔵庫とクーラーボックスの使い分けについて説明したが、実施形態３などの実施形態でも同様に冷蔵庫とクーラーボックスの使い分けることが可能である。また、冷蔵ボックスを構成する内装と外装の材料は、断熱シートを使用することにより、内装と外装間の中空断熱による断熱効果を相乗的に発揮することができる。
【００７１】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００７２】
１００  冷蔵庫
１１  冷蔵ボックス
１１ａ  冷蔵室
１１ｂ  開口
１１ｃ，１０３  空気室
１１ｃ１，８１，１０１  内装
１１ｃ２，８２，１０２  外装
１１ｄ  解放端部
１２  冷却ユニット
１２ａ  ペルチェ素子
１２ｂ  外部熱交換器
１２ｃ  内部熱交換器
１２ｄ  熱伝導部材
１３  空気吸入部
１４  蓋
１４１  係合溝
１５，１７２  断熱材
１６  段差部
１７  連結孔
１８  冷却ファン
６１  蓋部材
６２  係合部
５１  基材
５２，８４  底板
５２ａ〜５２ｄ，５３ａ１〜５３ａ３、５３ｂ１〜５３ｂ３、５３ｃ１〜５３ｃ３、５３ｄ１〜５３ｄ３  傾斜面
５３ａ〜５３ｄ  側板
５３ａ４〜５３ｄ４  解放端
１０１ａ，１０２ａ  底部
１７１  中空部
【図１】
0006588741.tif 000002
【図２】
0006588741.tif 000003
【図３】
0006588741.tif 000004
【図４】
0006588741.tif 000005
【図５】
0006588741.tif 000006
【図６】
0006588741.tif 000007
【図７】
0006588741.tif 000008
【図８】
0006588741.tif 000009
【図９】
0006588741.tif 000010
【図１０】
0006588741.tif 000011
【図１１】
0006588741.tif 000012
【図１２】
0006588741.tif 000013
【図１３】
0006588741.tif 000014
【図１４】
0006588741.tif 000015
【図１５】
0006588741.tif 000016
【図１６】
0006588741.tif 000017
【図１７】
0006588741.tif 000018
【図１８】
0006588741.tif 000019
【図１９】
0006588741.tif 000020